(57)【要約】【課題】簡単に既存の排気フードに適用することができて、防火上の問題もなく排気フードの下方空間の照明を行うことができる照明装置を提供する。【解決手段】排気フード１２の縁部レール１２ａに着脱可能に係止可能となった係止部２１ａを有する係止ブラケット２１と係止ブラケット２１から離反した支持面２２ａを有する支持ブラケット２２とを有するブラケット２０と、支持面２２ａに両端が支持されたランプユニット２４と、を有し、係止ブラケット２１の係止部２１ａが排気フード１２の縁部レール１２ａに係止されたときに、ランプユニット２４が排気フード１２の下方空間を照射するようになっている。【選択図】図１
2011086575.tif 000002
【特許請求の範囲】
【請求項１】
排気フードの下方空間の照度を確保するための排気フード用照明装置であって、
排気フードの縁部に着脱可能に係止可能となった係止部と、該係止部が排気フードの縁部に係止された状態で排気フードから離反した位置に位置付けられる支持面と、を有するブラケットと、
ブラケットの支持面に支持されるランプユニットと、
を備え、
前記ブラケットの係止部が排気フードの縁部に係止されたときに、ランプユニットが排気フードの下方空間を照射するようになっていることを特徴とする排気フード用照明装置。
【請求項２】
前記ランプユニットは、ブラケットに対して着脱可能であることを特徴とする請求項１記載の排気フード用照明装置。
【請求項３】
前記ランプユニットは、少なくともその一部が透明な保護カバーと、保護カバー内に内蔵されたランプとを備えることを特徴とする請求項１または２記載の排気フード用照明装置。
【請求項４】
前記ブラケットの支持面は、ブラケットの係止部が排気フードの縁部レールに係止されたときに、排気フードの下方空間に面するように傾斜していることを特徴とする請求項１ないし３のいずれか１項に記載の排気フード用照明装置。
【発明の詳細な説明】
【技術分野】
【０００１】
本発明は、食品工場、業務用厨房等において加熱調理装置等から立ち上がる煙や蒸気等を排気する排気フードの下方の作業空間の照明を行うための排気フード用照明装置に関する。
【背景技術】
【０００２】
従来、食品工場、業務用厨房等では、加熱調理装置等から立ち上がる煙や蒸気等を排気する比較的大型の排気フードが天井部から垂下するように設置されており、該排気フードを通して、煙や蒸気等をダクトを通して外部へ排気している。
【０００３】
この排気フードは、天井部から垂下されているために、天井面に取り付けられた照明装置からの光が遮られて、排気フードの下方の作業空間が暗くなるという問題がある。
【０００４】
これに対して排気フードの内側に照明装置を取り付けることも考えられるが、そのような取り付けは、防火上、好ましくない。
【０００５】
特許文献１では、排気フードの外側の室内天井部に照明具を設け、排気フードを構成するパネルの少なくとも一部を透明な材料で形成した透光性パネルとして、排気フード内の照明具をなくした排気装置を提案している。
【先行技術文献】
【特許文献】
【０００６】
【特許文献１】特許第３９９９２４１号公報
【発明の概要】
【発明が解決しようとする課題】
【０００７】
しかしながら、排気フードを透光性パネルにすることは排気フードの大掛かりな変更となり、費用がかかるという問題がある。
【０００８】
本発明はかかる課題に鑑みなされたもので、簡単に既存の排気フードに適用することができて、防火上の問題もなく排気フードの下方空間の照明を行うことができる照明装置を提供することをその目的とする。
【課題を解決するための手段】
【０００９】
上記目的を達成するために、本発明の請求項１記載の発明は、排気フードの下方空間の照度を確保するための排気フード用照明装置であって、
排気フードの縁部に着脱可能に係止可能となった係止部と、該係止部が排気フードの縁部に係止された状態で排気フードから離反した位置に位置付けられる支持面と、を有するブラケットと、
ブラケットの支持面に支持されるランプユニットと、
を備え、
前記ブラケットの係止部が排気フードの縁部に係止されたときに、ランプユニットが排気フードの下方空間を照射するようになっていることを特徴とする。
【００１０】
請求項２記載の発明は、請求項１記載の前記ランプユニットが、ブラケットに対して着脱可能であることを特徴とする。
【００１１】
請求項３記載の発明は、請求項１または２記載の前記ランプユニットが、少なくともその一部が透明な保護カバーと、保護カバー内に内蔵されたランプとを備えることを特徴とする。
【００１２】
請求項４記載の発明は、請求項１ないし３のいずれか１項に記載の前記ブラケットの支持面は、ブラケットの係止部が排気フードの縁部レールに係止されたときに、排気フードの下方空間に面するように傾斜していることを特徴とする。
【発明の効果】
【００１３】
本発明によれば、排気フード用照明装置が排気フードの縁部に着脱可能に取り付け可能となっており、排気フード用照明装置を排気フードの縁部に係止させて、ランプユニットが排気フードの下方空間を照射することで、簡単な構成で排気フードの下方空間の照度を上げることができる。
【００１４】
排気フードに排気フード用照明装置を取り付けたときに、支持面に支持されたランプユニットは排気フードから離反しているために、防火上、安全である。
【００１５】
さらには、排気フード用照明装置自体は、排気フードの縁部に対して着脱可能であるため、既存の排気フードにも簡単に適用することができる。
【００１６】
ランプユニットをブラケットに対して着脱可能にすることで、取り外し、または取り付けの際に、簡単に作業を行うことができる。また、ブラケット及び／またはランプユニットを個別に洗浄／交換に供することができる。
【００１７】
ランプを透明な保護カバーに内蔵することにより、ランプの保護及び下方空間を通過する食品等の保護を図ることができる。
【００１８】
支持面を傾斜させることにより、排気フードの下方空間への照射を効率的に行うことができる。
【図面の簡単な説明】
【００１９】
【図１】本発明による排気フード用照明装置を排気フードに取り付けた状態を表す全体概略図である。
【図２】本発明による排気フード用照明装置の斜視図である。
【図３】図２の３−３線に沿って見た断面図である。
【図４】図２の４−４線に沿って見た断面図である。
【図５】ランプユニットの分解破断斜視図である。
【図６】本発明による排気フード用照明装置の変形例を排気フードに取り付けた状態を表す全体概略図である。
【発明を実施するための形態】
【００２０】
以下、図面を用いて本発明の実施の形態を説明する。
図１〜図５は、本発明による排気フード用照明装置を表す図である。
【００２１】
図において、この排気フード用照明装置１０は、排気フード１２に着脱可能に取り付けられるものとなっている。排気フード１２は、天井面から垂下されており、その側方パネルによって四面が包囲されて、その下方空間が揚げ物、煮炊き等の加熱調理を行うべく、鍋やフライヤ等の加熱調理装置が配置される作業空間となっている。
【００２２】
排気フード１２の縁部の内側には、縁部レール１２ａが形成される。縁部レール１２ａの形状は、排気フード１２によって様々な形状となっているが、図示の例では、内側に略９０度折曲されて、さらにその先端が上側に略９０度折曲されている。
【００２３】
そして、排気フード用照明装置１０は、縁部レール１２ａに係止可能となったブラケット２０と、ランプユニット２４と、を有している。
【００２４】
ブラケット２０は、詳細には、係止ブラケット２１と、支持ブラケット２２の２部品から構成される。係止ブラケット２１は、取り付けられる排気フード１２の縁部レール１２ａの形状に合わせて係止可能となった係止部２１ａを備える。支持ブラケット２２は、その基端部が係止ブラケット２１に固定され、係止ブラケット２１から離反する方向に延びて、その遊端部に支持面２２ａを有する。
【００２５】
係止ブラケット２１及び支持ブラケット２２は、耐腐食性、耐熱性、耐湿性が高く、飛散し難い難燃性の材料で構成することが望ましく、ステンレス等の金属または難燃性の硬質プラスチックで構成することができる。これらの係止ブラケット２１及び支持ブラケット２２は、例えば溶接、溶着などの手段により、一体に固定される。但し、ブラケット２０は、２部品から構成する代わりに、１つの部品で構成することも可能であり、または、３つ以上の部品から構成することも可能である。
【００２６】
支持ブラケット２２の支持面２２ａは、係止ブラケット２１から離反している。よって、支持面２２ａは、係止ブラケット２１が排気フード１２の縁部レール１２ａに係止された状態において、排気フード１２から離反するように、且つ好ましくは排気フード１２の下方の作業空間に面するように傾斜しているとよい。
【００２７】
ランプユニット２４は、ランプ２６と、筒状の保護カバー２８と、保護カバー２８の両端に装着される取付キャップ３０と、を備える。
【００２８】
ランプ２６としては、ＬＥＤランプ、蛍光灯ランプ、白熱ランプ、有機ＥＬランプ等の任意のランプとすることができる。この例では、ＬＥＤランプ２６としており、ＬＥＤランプ２６は、長手方向に延びる細長状の基板２６ａ上に多数の発光部２６ｂが配置されたものとなっている。
【００２９】
ＬＥＤランプ２６が挿入される保護カバー２８は、その断面が略半円形形状をなしており、その一つの内面にＬＥＤランプ２６の基板２６ａが固定される。保護カバー２８は、少なくともその一部がランプ２６からの光を透過しうるような透明性を持ち、かつ耐腐食性、耐熱性、耐湿性が高く、飛散し難い難燃性の材料で構成するとよく、例えば、ポリカーボネート樹脂のような硬質プラスチックなどで構成することができる。
【００３０】
保護カバー２８の両端を閉塞する取付キャップ３０は、内部のシールリングによって気密性、水密性を持って保護カバー２８に装着される。取付キャップ３０も耐腐食性、耐熱性、耐湿性が高く、飛散し難い難燃性の硬質プラスチックなどで構成することができる。
【００３１】
さらに、取付キャップ３０には、取付面３０ａが一体に形成されており、取付面３０ａが前記支持ブラケット２２の支持面２２ａに着脱可能に取り付けられるようになっている。この着脱可能な取付手段としては、任意の手段を用いることができる。好ましくは、分離する部材を用いないで取り付けとよく、これによって該部材が分離・落下することによる食品への異物混入を防ぐことができる。
【００３２】
この例では、図４に示すように、取付面３０ａに設けられた溝３０ｂに支持ブラケット２２の支持面２２ａを貫通して支持面２２ａに垂直な方向に所定の範囲でスライド可能となったピン３２が挿入され、ピン３２がスプリング３４による付勢力によって取付面３０ａを支持面２２ａに向かって押圧することで、取付面３０ａが支持ブラケット２２に圧接されて固定されるようになっている。ピン３２を支持面２２ａに対して垂直に動かして、取付面３０ａと支持面２２ａとの圧接を解除することで、取付キャップ３０を支持ブラケット２２から取り外すことが可能である。
【００３３】
以上のように構成される排気フード用照明装置１０においては、ランプユニット２４の両端にある取付キャップ３０をそれぞれ別々の支持ブラケット２２の支持面２２ａに取り付けて、支持ブラケット２２と一体となった係止ブラケット２１の係止部２１ａを排気フード１２の縁部に係止する。そして、ランプユニット２４に給電を行う。
【００３４】
これによって、ランプユニット２４は、排気フード１２の縁部に沿って配設され、且つ、支持面２２ａによって排気フード１２の内側下方に向いて、排気フード１２の下方空間にある加熱調理装置周辺の作業空間を照射することができるようになる。
【００３５】
このランプユニット２４によって、排気フード１２の下方空間にある作業空間、より具体的には、排気フード１２の下方空間の床面より９００〜１２００ｍｍ程度の上方にある地点において、８００Ｌｘ以上の照度、または排気フード用照明装置１０を取り付ける前の照度と比較して、３００Ｌｘ以上の照度の向上を図ることができるとよい。
【００３６】
以上のように、本発明による排気フード用照明装置１０によれば、簡単な構成で排気フード１２の下方空間の照度を上げることができる。また、排気フード用照明装置１０自体は、排気フード１２の内側に配置されないために、防火上、安全である。特に、支持面２２ａが係止部２１ａから離反しており、結果として、排気フード１２に取り付けられたときに、図１の符合Ｌで表すように、支持面２２ａに取り付けられたランプユニット２４が排気フード１２から所定距離（好ましくは１０ｃｍ以上）離反するために、防火上も安全である。
【００３７】
さらには、排気フード用照明装置１０自体は、排気フード１２に対して着脱可能であるため、既存の排気フード１２にも簡単に取り付けることで、適用することができる。
【００３８】
また、排気フード１２から適宜排気フード用照明装置１０を取り外して、洗浄も行うことができ、衛生的である。取り外す際には、ランプユニット２４の両端を支持ブラケット２２から取り外してランプユニット２４を分離し、次いで、支持ブラケット２２及び係止ブラケット２１を排気フード１２から取り外せばよいので、強い力が不要で、非力な者でも簡単に取り外し作業、及び取り付け作業を行うことができる。
【００３９】
図６は、排気フード用照明装置の変形例を表している。この例では、支持ブラケット２２が係止ブラケット２１から傾斜した状態で支持面２２ａに連なっている点で異なっている。支持面２２ａの傾斜角度は取り付けられる排気フード１２の縁部の高さと作業空間との間の相対位置関係に応じて適宜設定することができる。
【００４０】
また、排気フード用照明装置１０は、排気フード１２の縁部の全てに設ける必要はなく、その設ける数、位置などは任意である。
【００４１】
また、以上の実施形態においては、排気フード１２の縁部に係止ブラケット２１が係止するのに適した縁部レール１２ａが形成されていたが、縁部レール１２ａが存在しないか、または縁部レール１２ａの形状が係止に適していない場合には、排気フード１２の縁部に別の部材で係止ブラケット２１を係止可能な受け部を設けるようにしてもよい。
【符号の説明】
【００４２】
１０  排気フード用照明装置
１２  排気フード
１２ａ  縁部レール
２０  ブラケット
２１ａ  係止部
２２ａ  支持面
２４  ランプユニット
２６  ランプ
２８  保護カバー
【図１】
2011086575.tif 000003
【図２】
2011086575.tif 000004
【図３】
2011086575.tif 000005
【図４】
2011086575.tif 000006
【図５】
2011086575.tif 000007
【図６】
2011086575.tif 000008